(57)【要約】【課題】  画面サイズ４０インチを越えるような質量のある薄型画像表示装置を、少ない作業者、あるいはユーザー自身で比較的安全に壁面へ設置が可能となり、ユーザーの利便性の向上と経済負担の低減を目的としている。【解決手段】  薄型表示装置２の背面に固定する壁掛け装置可動部１と、摺動可能に壁面に固定する壁掛け装置固定部７で構成した。  更に両者は壁面に沿って上昇する際の嵌合部６とガイドレール８による位置決め機構、および爪８-aと嵌合部６を組み合わせた下降防止機構を設けた。  更に、薄型表示装置２の上昇動作を助けるため、連続した係止穴２１-aを有する上昇ガイド２１とレバー２４操作でテコの原理を応用した上昇装置２３の組み合わせ構成とした。  また、２本のガイドレール１２、伸縮脚１７を有する設置装置１１を壁掛け装置に連結することで、床面に伏せた薄型表示装置２をテコの原理で壁面まで持ち上げる構成とした。【選択図】  図２
2008152186.tif 000002
【特許請求の範囲】
【請求項１】
薄型表示装置を壁面に設置する装置であって、該薄型表示装置に固定する手段と前記壁面に固定する手段とに分離し、前記両手段が垂線方向以外の相対的な位置決め構造を有することを特徴とする薄型表示装置の壁掛け装置。
【請求項２】
前記相対的な位置決め手段が、前記壁面に固定する手段に設けた向かい合うガイドレールと前記薄型表示装置に固定する手段に設けた嵌合部の組み合わせによることを特徴とする、請求項１記載の薄型表示装置の壁掛け装置。
【請求項３】
薄型表示装置を壁面に設置する装置であって、該薄型表示装置に固定する手段と前記壁面に固定する手段とに分離し、前記壁面に固定する手段に対して前記薄型表示装置に固定する手段が、上昇動作が可能であるが下降動作が制限される構造を有することを特徴とする薄型表示装置の壁掛け装置。
【請求項４】
前記上昇動作が可能であるが下降動作が制限される構造が、前記壁面に固定する手段に設けた複数の爪と前記薄型表示装置に固定する手段に設けた嵌合部の組み合わせによることを特徴とする、請求項３記載の薄型表示装置の壁掛け装置。
【請求項５】
薄型表示装置を壁面に設置する装置であって、該薄型表示装置に固定する手段と前記壁面に固定する手段とに分離し、該壁面に固定する手段に連結可能な前記薄型表示装置の設置補助手段を設けたことを特徴とする薄型表示装置の壁掛け装置。
【請求項６】
前記設置補助手段には、前記壁面に固定する手段と連結することにより、連続する前記相対的な位置決め手段と、連続する前記上昇動作が可能であるが下降動作が制限される構造、及び該壁面に固定する手段との着脱構造を有することを特徴とする、請求項１、３、５記載の薄型表示装置の壁掛け装置。
【請求項７】
薄型表示装置を壁面に設置する装置であって、該薄型表示装置に固定する手段と前記壁面に固定する手段とに分離し、該薄型表示装置の上昇動作を補助する手段を設けたことを特徴とする請求項１、３、５記載の薄型表示装置の壁掛け装置。
【請求項８】
前記該薄型表示装置の上昇動作を補助する手段が、連続した係止穴を有するガイド板と該係止穴に係合するレバーの組み合わせであることを特徴とする請求項７記載の薄型表示装置の壁掛け装置。
【発明の詳細な説明】
【技術分野】
【０００１】
薄型画像表示装置などの電子機器を壁面に設置する構造に関わる。
【背景技術】
【０００２】
近年テレビをはじめとする画像表示装置は従来のＣＲＴを利用した機器が、液晶パネルやプラズマディスプレイパネルを利用したものに移り変わってきた。その普及してきた背景は、後者を利用した画像表示装置は画面サイズに影響されずに薄型に構成できるために様々な用途へ利用でき、またユーザーの目的に応じた空間に設置できる、というメリットがあるからである。
【０００３】
では、実際にユーザーが自宅の居間の壁面に上記の薄型の画像表示装置を設置するための装置や作業について調査してみたところ、以下の状況であることがわかった。
【０００４】
１．市場においては、各テレビメーカーから付属品として壁掛けユニット（壁掛け固定装置に相当）が発売されている。それを購入したユーザーは、まず所望の壁面位置に前記壁掛けユニットをネジなどで固定し、同梱の係止部材を先に購入済みのテレビ背面にネジ止めする。その後テレビを持ち上げて前記係止部材を壁掛けユニットの被係止部に引っ掛け、脱落防止ネジを取り付けて設置作業が完了する。
【０００５】
２．特許文献においては、例えば特開2001-282131／富士通ゼネラルに「設置用のワイヤー・滑車を備えた天吊金具」が開示されているので、図１０を参照しながら説明を加える。
【０００６】
１０１は薄型の画像表示装置であるプラズマディスプレイパネル、１０２は該プラズマディスプレイパネルを天井に設置するための天井吊り下げ装置、１０３は該天井吊り下げ装置の下方に伸びる係止部、１０４は前記プラズマディスプレイパネルの上部に構成された被係止部、１０５は天井吊り下げ装置を構成する定滑車、１０６は同じく天井吊り下げ装置を構成する動滑車、１０７も同じく天井吊り下げ装置を構成するロープ、１０８はプラズマディスプレイパネルを天井吊り下げ装置に吊り下げるための固定部である。
【０００７】
以上の構成において、ユーザーがプラズマディスプレイパネルを天井に設置したい場合は、まず天井吊金具１０２を天井に設置する。次にロープ１０７を調整して動滑車１０６を低い位置に降ろした後、プラズマディスプレイパネル１０１の上部に被係止部１０４と固定部１０８を接続する。ロープ１０７をゆっくりと引くことによりプラズマディスプレイパネル１０１はゆっくりと上昇し、係止部１０３の折り曲げ部を被係止部１０４が乗り越えた位置で両者が略締結状態となる。図では省略するが、両者をネジで固定して設置作業は完了する。
【特許文献１】特開2001-282131号公報
【発明の開示】
【発明が解決しようとする課題】
【０００８】
以上説明したように、市場における壁掛け装置の構造や設置作業においては、次に述べるような問題を有していた。
【０００９】
壁掛けユニット（壁掛け装置）は安全上強度が必要な設計がなされているため、質量は１０ｋｇを越えるものも多いため、壁面にネジなどで固定する際に片手で押さえて保持することは困難であり、二人以上の作業者が必要である。また、テレビの質量は画面サイズ４０インチのもので一般的に３０ｋｇ〜４０ｋｇあるため一人で持ち上げることはできず、二人以上の作業者が必要となるし、手を滑らしてテレビを落下させて破損させる失敗も伴う作業である。
【００１０】
また、先願特開2001-282131においては、薄型の画像表示装置の設置作業が一人、または二人で簡単にできるが、壁面に設置する方法や構造の提案がなされておらず、特にプラズマディスプレイの上昇時に固定部を中心に回転してしまったり、壁面に固定する手段への応用は困難である。
【００１１】
つまり、液晶パネルやプラズマディスプレイパネルの普及で様々な設置環境が選択できるようになったにも関わらず、ユーザーが壁面への設置を望む場合には、サービスマンや専門業者に依頼せざるを得ず費用負担が問題となるし、作業時に上記機器の破損の不安も伴うものであった。
【００１２】
本発明は、画面サイズ４０インチを越えるような質量のある薄型画像表示装置を、少ない作業者、あるいはユーザー自身で比較的安全に壁面へ設置が可能となり、ユーザーの利便性の向上と経済負担の低減を目的としている。
【課題を解決するための手段】
【００１３】
上述した課題を解決するために、本発明の壁掛け装置は、薄型表示装置の背面に固定する壁掛け装置可動部と、摺動可能に壁面に固定する壁掛け装置固定部で構成した。
【００１４】
更に両者は壁面に沿って上昇する際の嵌合部とガイドレールによる位置決め機構、および爪と嵌合部を組み合わせた下降防止機構を設けた。
【００１５】
更に、薄型表示装置の上昇動作を助けるため、連続した係止穴を有する上昇ガイドとレバー操作でテコの原理を応用した上昇装置の組み合わせ構成とした。
【００１６】
また、２本のガイドレール、伸縮脚を有する設置装置を壁掛け装置に連結することで、床面に伏せた薄型表示装置をテコの原理で壁面まで持ち上げる構成とした。
【００１７】
また、壁掛け装置固定部を壁面に固定する際は、その自重を設置装置が支える構造とした。
【発明の効果】
【００１８】
以上の構成により、
１．壁掛け装置に対して薄型表示装置の位置決め作業の負担が軽減される。
２．設置作業時に薄型表示装置や壁面への傷防止効果も有する。
３．所望の高さに薄型表示装置を持ち上げる労力が軽減される。
４．設置作業時に薄型表示装置の落下防止効果も有する。
５．より小さい力で床面から壁面へ薄型表示装置を持ち上げることが出来る。
６．壁掛け装置を壁面に固定するねじ止めは、一人作業が可能となる。
という効果を有する。
【発明を実施するための最良の形態】
【００１９】
（実施例１）
図１は本発明の特徴を表す壁掛け装置可動部の鳥瞰図である。１は本発明の壁掛け装置の構成を成す壁掛け装置可動部であり、後述の薄型表示装置を設置する準備のための水平姿勢の状態を示している。２は内部に薄型の画像表示モジュールを内蔵した薄型表示装置であり、画像を表示する面と反対の背面部を上にした状態示している。３は壁掛け装置可動部の構成部品である補強板であり、前記薄型表示装置２の背面部に略密着状態に配置されて支持するための部品である。３−aは該補強板３を前記薄型表示装置２にねじ止めする際に使用するねじ部であり、プレス加工により貫通した穴が明けられている。
【００２０】
４は前記補強板３に設けた締結部であり図に示すように４ヶ所設けられていて、後述の支持軸が水平を保つように均等配置されている。また、補強板３と締結部４はネジまたは溶接、カシメ加工（いずれも図示せず）により一体化されている。５は前記締結部４に貫通して回転可能に配置された支持軸であり、剛性を有する丸棒形状、上下２本共に同一形状である。６は該支持軸５の両端部分に支持軸５の直径よりも大きな円筒形状を有する嵌合部であり、摩擦係数の低い樹脂材料からなり支持軸５とは圧入加工により強固に固定されている。
【００２１】
図２は本発明の特徴を表す壁掛け装置固定部の鳥瞰図である。
【００２２】
７は本発明の壁掛け装置の構成を成す壁掛け装置固定部であり、前述の薄型表示装置２を設置する準備のための水平姿勢の状態を示している。
【００２３】
８は壁掛け装置固定部の主要構成部材で、前記壁掛け装置可動部１の左右に１個ずつ配置された断面形状が略コの字のガイドレールであり、前記コの字形状の開口部をお互いに向かい合うように構成されている。更に前記ガイドレール８の開口部には壁掛け装置可動部１の構成である嵌合部６が摺動可能に嵌合している。８−aは前記ガイドレール８の爪であり、プレスによる切り曲げ加工により略等間隔で断面略コの字の内壁の一面に配置している。８-bは前記ガイドレール８の長穴であり、プレスによる穴あけ加工により略等間隔で断面略コの字の一面に配置している。尚、前記爪８-aと長穴８-bが形成されている位置は、向い合う左右のガイドレール８が壁面に沿って床面に垂直に固定された際、床面から同一高さとなるように設定されている。８-cは前記ガイドレール８の下側先端であり、後述の設置装置が連結される部分である。９は前記左右のガイドレール８を上下２個所で結合するレール結合板であり、該ガイドレール８と同一材の鋼板をプレス加工により形成している。尚、ガイドレール８とは溶接、またはねじにより固着している（図示せず）。９-aは前記レール結合板９に複数個設けられた壁面固定穴であり、レール結合板９のプレス加工と同時に穴明けされている。本発明の壁掛け装置は該壁面固定穴９-aを利用して強固なねじ（図示せず）で壁面に固定される構造であるため、該壁面固定穴９-aの加工位置は一般住宅の壁内部補強材の間隔に合わせている。１０は前記向かい合うガイドレール８の外側より、長穴８-bを貫通して嵌合部の雌ねじ６-aにねじ込まれる複数の固定ねじであり、工具を使わずに回せるような大きめの握り形状を有している。該固定ねじ１０を締め付けることにより、摺動可能な嵌合部６はガイドレール８に対して固着される。言い換えると、該固定ねじ１０を締め付けることにより壁掛け装置可動部１は壁掛け装置固定部７に対して固着される。
【００２４】
図３は本発明の特徴を表す設置装置を水平に置いた状態の鳥瞰図である。
【００２５】
１１は本発明の設置装置であり、先に説明した壁掛け装置可動部１と壁掛け装置固定部７を壁面の所定位置に設置するための装置である。１２は設置装置１１の主要構成部材で断面形状が略コの字のガイドレールで２個で構成され、前記コの字形状の開口部をお互いに向かい合うように配置されている。更に前記ガイドレール１２の開口部は、壁掛け装置可動部１の構成である嵌合部６が摺動可能に嵌合できる寸法となっている。１２−aは前記ガイドレール１２の爪であり、プレスによる切り曲げ加工により略等間隔で前記略コの字の内壁の一面に配置している。１２-bは前記ガイドレール１２の切り欠きであり、プレスによる抜き加工で前記略コの字の一面に左右２箇所ずつ形成されている。該切り欠き１２-bは、壁掛け装置可動部１の４箇所の嵌合部６がガイドレール１２に左右同時に挿入、嵌合可能な位置に設けられている。尚、前記爪１２-aと切り欠き１２-bが形成されている位置は、壁掛け装置連結部１４から左右同一距離に設定されている。１３は前記左右のガイドレール１２を結合するレール結合板であり、該ガイドレール１２と同一材の鋼板をプレス加工により形成している。尚、左右のガイドレール１２とは溶接、またはねじにより固着している（図示せず）。１４は本設置装置１１を壁面に沿って床面に垂直に立てた場合に上端に位置する壁掛け装置連結部であり、断面略コの字形状で開口部が向かい合って配置されていて、前述の壁掛け装置固定部７のガイドレールの下側先端８-cが嵌合する部分である。１５は向かい合う前記壁掛け装置連結部１４の両側面部にねじ込まれる連結部ねじであり、前述の壁掛け装置固定部７のガイドレールの下側先端８-c前記壁掛け装置連結部１４に嵌合した後、強く締め付けることにより両者（ガイドレールの下側先端８-c前記壁掛け装置連結部１４）が固着される。該固着により、壁掛け装置固定部７のガイドレール８と設置装置１１のガイドレール１２とは連続した断面略コの字の部材となり、前述の壁掛け装置固定部１の嵌合部６が両ガイドレール８および１２を連続して移動可能となる。１６は左右のガイドレール１２の下端部に位置する一対の伸縮構造部であり、本設置装置１１の全長を変化させるための機構を有している。１７は前記伸縮構造部１６に挿入支持されている一対の伸縮脚であり、後述する薄型表示装置２の設置作業において伸縮動作とその目的を説明する。１８は前記伸縮脚１７の下端部に溶接、圧入またはねじ（図示せず）などにより固着してなる一対伸縮先端部であり、本設置装置１１の水平状態から垂直状態いずれにおいても、設置環境下の床材や壁材を傷付けない滑らかな表面を有する樹脂で形成されている。
【００２６】
図４は本発明の設置装置１１の伸縮構造部１６周辺の断面を拡大した図である。本図を使って伸縮１７の動作についても説明を加える。
【００２７】
１６-aは伸縮構造部のねじ部であり、ガイドレール１２の下端部の外壁に雄ねじが形成され、かつプレスによりスリ割溝が形成されているために法線方向に弾性変形が可能である。１６-bは外周に滑り止め仕上げ（図示せず）が施され、内周の一部に雌ねじ（図示せず）が形成されたナットであり、内周のねじを除く部分には内径が連続して変化するテーパ部（図示せず）を有している。そのために、ナット１６-bを締め付けていくと、前記テーパ面がガイドレール１２のねじ部１６-aに圧力を掛けて徐々に細くなり、伸縮脚１７外周部が上記ねじ部１６-aの内周部により締め付けられて両者（伸縮脚１７外周部と上記ねじ部１６-aの内周部）が固着する。また、ナット１６-bを締め付け方向から逆に緩め方向に回すと、前記ナット１６-bの内周テーパ面が徐々に後退してねじ部１６-aへの圧力が除かれ、該ねじ部１６-aの弾性変形が元に戻ることにより先の固着（伸縮脚１７外周部と上記ねじ部１６-aの内周部）状態が解除されて伸縮脚１７は自由に動くことができる。
【００２８】
図５は本発明の壁掛け装置可動部１の嵌合部６が、壁掛け装置固定部７のガイドレール８および設置装置１１のガイドレール１２に嵌合した状態を示す拡大図である。ここではガイドレールの爪８-aおよび１２-aの働きについて説明する。尚、壁面設置状態では図の左方向が上となる。ガイドレール８および１２に摺動可能に嵌合している嵌合部６は、上昇時にはガイドレールの爪８-aおよび１２-aの斜面を押し広げて通過し、下降時つまり持ち上げる力を緩めた場合は図に示す位置、ちょうどガイドレールの爪８-aおよび１２-aの先端部に嵌合部６が当接して停止する。
【００２９】
尚、本発明においては前記説明した嵌合部６の上昇動作と下降時の停止動作に関わる構造として、ガイドレールの爪と円筒状の嵌合部を採用したが、「上昇可能で下降が停止する」構造であれば他の構成であってもよい。
【００３０】
以上で本発明の構造の説明を終了し、次に設置装置１１を利用した薄型表示装置２の設置方法、および壁掛け装置の特徴について述べる。
【００３１】
図６-aから図６-dは設置装置１１を利用した薄型表示装置２の設置手順を示している。順番を追って説明を加えるが、図１から図５で説明した部品名称と番号はそのまま利用する。
【００３２】
図６-aでは、まず薄型表示装置２の画像を表示する面と反対の背面部を上にした状態で床に置き、次に壁掛け装置可動部１を該薄型表示装置２の上に載せた後、補強板ねじ部に固定ねじ４本を挿入して固定する。設置装置１１を前記壁掛け装置可動部１の上に載せる。その際、該壁掛け装置可動部１の4箇所の嵌合部６が設置装置１１のガイドレールの切り欠き１２-bを通過して、該ガイドレール１２の断面略コの字形状の中に挿入し嵌合したことを確認する。
【００３３】
図６-bではまず設置装置１１を壁方向に移動して（嵌合部６がガイドレール１２内部を摺動する）伸縮先端部１８が壁面に接する状態にする。この際、伸縮構造部１６のナット１６-bを緩めて伸縮脚１７の長さを調節してもよい。
【００３４】
次に、設置装置１１の壁掛け装置連結部１４に向かって壁掛け装置固定部７のガイドレールの下側先端８-cを左右ほぼ同時に挿入する。両装置のガイドレール８および１２が連結されたことを目視確認した後、連結部ねじ１５をしっかりと締め付ける。以上により設置装置１１と壁掛け装置固定部７の締結が完了した。
【００３５】
図６-cでは、壁掛け装置固定部７の上端付近のガイドレール８を握って、ゆっくりと薄型表示装置２を持ち上げる。このとき設置装置１１の伸縮先端部１８が図に示す床と壁の隅部に当接していることを確認しながら起こしていく。テコの原理により、薄型表示装置２の質量よりも軽い力で持ち上げることができる。すなわち、壁掛け装置固定部７の上端付近のガイドレール８が力点、設置装置１１の伸縮先端部１８が支点、薄型表示装置２の取り付け部分が作用点となる。
【００３６】
図６-dでは、壁掛け装置固定部７が設置予定の壁面に密着した状態に達した位置を示している。この後壁面に固定するための強固なねじ４本を、レール結合板の壁面固定穴９-aに挿入し強く締めこむことで、該壁掛け装置固定部７の壁面固定が完了す。
【００３７】
図６-eでは、作業者が壁掛け装置固定部７や設置装置１１から手を離しても安全な状態となっている。薄型表示装置２の底辺部に手を当ててゆっくりと上昇させる。この時、該薄型表示装置２は背面側にて壁掛け装置可動部２の嵌合部６が、設置装置１１のガイドレール１２および上昇にしたがって壁掛け装置固定部７のガイドレール８に摺動可能に嵌合しているため、左右にずれたり傾いたりせずに持ち上げることが可能であり、さらに両ガイドレール８、１２には等間隔で爪８−aおよび１２−aが形成されているため、前記薄型表示装置２を持ち上げる力を抜いた場合には最寄の直下の該爪８−aまたは１２−aに前記嵌合部６が引っ掛かって停止する。したがって作業者は所望の高さまで一度に薄型表示装置２を持ち上げる必要は無く、休憩しながら作業することができる。
【００３８】
図６−ｆでは、薄型表示装置２が所望の高さに到達した後、ガイドレール８に形成された長穴８−bの開口部に、嵌合部６に形成された雌ねじ６-a覗く位置になっているので、左右２個ずつの固定ねじ１０をねじ込むことでガイドレール８に対して嵌合部６が固着する。つまり、薄型表示装置２が壁掛け装置可動部１を介して壁掛け装置固定部７に固定された。この後、設置装置１１の上端部の伸縮構造部１６のナット１６−bを緩めて伸縮脚１７を縮めて壁掛け装置固定部７から設置装置１１を外して作業が完了する。
【００３９】
次に本壁掛け装置の特徴について説明を加える。従来の壁掛け装置の構造と大きく異なる点は四つある。ひとつ目は嵌合部６とガイドレール８の嵌合による効果で、薄型表示装置２を持ち上げる際に傾いたり回転したりせず、所望の高さに向かって案内を持続する構造を有することである。従来の壁掛け装置では質量のある薄型表示装置を所望の高さに持ち上げ、更に正確に位置を合わせて係止部を壁掛け装置の被係止部に引っ掛ける作業は非常に困難であり、時に薄型表示装置や壁面を傷つける危険もあった。
【００４０】
二つ目は該薄型表示装置２を持ち上げる際に嵌合部６とガイドレールの爪８−aが引っ掛かり、手を離しても落下しない構造を有することである。従来の壁掛け装置では質量のある薄型表示装置を所望の高さに持ち上げて、更に固定が完了するまで長時間に渡って持ち上げ続ける体力もしくは作業者の人手が必要であった。尚、本発明の前記爪は材質と形状の特性で適度な弾性を有するため、前記嵌合部６が上昇する際には爪８−aがたわむため前記上昇動作を妨げることは無い。
【００４１】
三つ目は壁掛け装置固定部７に連結する設置装置１１により、床面に伏せた薄型表示装置２をテコの原理による軽い力で壁面まで持ち上げることができる、という点である。従来であれば梱包材から出した薄型表示装置を壁面まで持ち上げるために、作業の負担を軽減するような道具を使わず人手に拠っていた。
【００４２】
四つ目は壁掛け装置固定部７を壁面に固定する際、設置装置１１が該装置固定部７の質量を薄型表示装置２と共に支えてくれる構造であるため、作業者は前記壁掛け装置固定部７が倒れてこないように片手で支えながら壁面へのねじ固定作業ができる、という点である。従来であれば壁掛け装置を支える作業者と、該壁掛け装置を壁面にねじ止めするもう一人の作業者が必要であった。
【００４３】
以上説明したように、薄型表示装置を壁面に固定する際に本発明の壁掛け装置を利用すれば、
７．壁掛け装置に対して薄型表示装置の位置決め作業の負担が軽減される。
８．と、同時に薄型表示装置や壁面への傷防止効果も有する。
９．所望の高さに薄型表示装置を持ち上げる労力が軽減される。
１０．と、同時に薄型表示装置の落下防止効果も有する。
１１．床面から壁面へ薄型表示装置を持ち上げる力は、該薄型表示装置の質量より小さい力で済む。
１２．壁掛け装置を壁面に固定する際、一人で片手で押さえながらのねじ止め作業が可能となる。
【００４４】
以上の効果が得られる。
【００４５】
尚、本発明では壁面に固定する対象物に薄型表示装置を例として上げたがそれに限定されることではなく、例えば壁面に設置する空調機器、家具、看板、その他造形物に応用可能である。
【００４６】
（実施例２）
図７は第二の本発明の特徴を表す設置装置の平面図であり、薄型表示装置を設置する準備のための水平姿勢の状態を示し、壁面に沿って垂直姿勢時は図の左方向が上となる。尚、実施例１と同一部品は同一番号を付記または省略して示している。
【００４７】
２０は本発明の設置装置である。実施例１の設置装置１１と異なり、レール結合板１３が上下２箇所に増え、また新たな上昇ガイド２１と形状が異なるガイドレール２２を有している。上昇ガイド２１は薄型表示装置２の左右中心部、ちょうど２本のガイドレール２２の中央に位置し、上下部をレール結合板１３と溶接またはねじ止め（図示せず）にて固定している。鋼材をプレス加工により形成している。２１-aは上昇ガイド２１の板幅中央に複数個が同じくプレス加工により形成された係止穴であり、同一形状でほぼ等間隔に配置されている。ガイドレール２２の詳細は図９を用いて後述する。
【００４８】
図８は第二の本発明の特徴を表す設置装置の中央部立て断面の拡大図である。ちょうど薄型表示装置の底部を示し、ガイドレール２２は図から省略している。２３は上昇装置であり、薄型表示装置２を持ち上げるための装置である。２４は鋼板をプレス加工にて成形した該上昇装置２３の主要構成部品のレバーであり、中央部付近に回転可能な長穴が形成されている。２４-aは該レバー２４の先端部に形成した係止部であり、フック形状を成している。２４-bはレバー２４の取っ手であり、人が握って操作する部分であるため表面は滑らかに仕上げられている。２５は前記レバー２４の中央付近に位置し、相対的に回転可能な構造であるところの受け部であり、上部は前記薄型表示装置２を受けるために滑らかな平面部で形成された、アルミ製の鋳造品である。２６は前記レバー２４と受け部２５とが相対的に回転運動するための回転軸であり、該回転時軸の両端部を該受け部２５が支持し、中央付近でレバー２４が回転可能に嵌合している。
【００４９】
図９は第二の本発明の特徴を表す設置装置２０のガイドレール２２の縦断面の拡大図であり、壁掛け装置可動部１と設置装置２０の嵌合状態を示している。尚、本装置を壁面に設置する際の垂直姿勢では、図の左方向が上となる。２７は壁掛け装置可動部の支持軸５の両端に合計４箇所形成された嵌合部であり、円筒形状の内部には圧縮バネと該バネの固定部材、および後述の弾性爪２８のガイド（いずれも図示せず）が構成されている。弾性爪２８は前記嵌合部２７の円筒面２７-aから二方向に突出配置されているが、内部の圧縮バネに逆らう力を働かせると前記円筒面２７-a中に収納状態となる。
【００５０】
以上についてガイドレール２２との組み合わせで説明を加える。壁掛け装置可動部１が上昇する際（薄型表示装置２が上昇）は嵌合部２７がガイドレール２２内部を摺動している。ガイドレールの穴２２-aが存在しない部分において、弾性爪２８は嵌合部の円筒面２７-a内部に収納された状態であり、ガイドレールの穴２２-aを通過する部分において、弾性爪２８は図９に示す突出した状態となる。次にガイドレールの穴２２-aを通過終わりに近づくと、該ガイドレールの穴２２-aの上端部が弾性爪２８の斜面に当接して、徐々に弾性爪２８が収納方向へ移動開始し前記嵌合部の円筒面２７-a内部へ収納状態となる。
【００５１】
もし作業者が本装置の上昇させる力を緩めて下降を開始した場合、ガイドレールの穴２２-aが存在しない部分において、弾性爪２８は嵌合部の円筒面２７-a内部に収納された状態であり、ガイドレールの穴２２-aを通過する部分において、弾性爪２８は図９に示す突出した状態となる。しかしながら、弾性爪２８の下部（斜面２８-aの対向側）、図面の右方向の端部が、前記ガイドレールの穴２２-aの下端部に当接したところで前記下降状態が停止する。つまり弾性爪２８がガイドレールの穴２２-aに引っ掛かり、薄型表示装置の下降を止めることができる。
【００５２】
次に図８を参照しながら上昇装置２３の動作を説明する。垂直姿勢の設置装置２０の任意の位置で停止中の薄型表示装置２に対して、まず上昇装置２３の係止部２４-aを上昇ガイド２１の係止穴２１-aに挿入して図示位置で引っ掛けた
状態とする。次に取っ手２４-bを持って上昇方向へゆっくりとレバー２４を持ち上げる、この時の回転中心は係止部２４-aである。もう一方の手で受け部２５の上部平面部を薄型表示装置２の底部に当接させる。ここから薄型表示装置２を質量が掛かり始める。取っ手２４-bを持ち上げると、それに連動して薄型表示装置２が上昇を開始する。この時に取っ手２４-bに掛かる質量は、薄型表示装置２と壁掛け装置可動部１の総和の約半分となり、４０インチクラスのテレビでも一人で持ち上げられるほど負担軽減となる。係止穴２１-aを２〜３個分上昇させた後、取っ手２４-bに掛けた力を緩めると、薄型表示装置２の上昇が止まり徐々に下降を始める。しかしながら前述した通り、弾性爪２８がガイドレールの穴２２-aに引っ掛かり、薄型表示装置の下降を止める。
【００５３】
その後に上昇装置２３を上昇ガイド２１から外し（係止部２４-aを係止穴２１-aから抜いて、更に薄型表示装置２から受け部２５の当接を開放する）て、次の上昇動作に備えるため更に２〜３個上部に位置する上昇ガイド２１の係止穴２１-aへ、レバー２４の係止部２４-aを差し替える。以上説明した上昇装置２３の操作を連続することにより、薄型表示装置２を所望の高さまで上昇することが出来る。図には示さないが、実施例１と同様に、設置装置２０は壁掛け装置固定部７とガイドレール２２および上昇ガイド２１が連続しているため、それが可能となる。
【００５４】
以上説明した本壁掛け装置の特徴についてまとめると、
壁掛け装置可動部１が上昇する際（薄型表示装置２が上昇）の位置決め構造として嵌合部２７と設置装置２０のガイドレール２２を構成した。更に壁掛け装置可動部１が上昇可能に摺動するが、下降を制限する構造を以下の組み合わせで実現した。すなわち嵌合部２７の円筒面２７-aに対して突出〜収納動作可能で片側に斜面を有する弾性爪２８を配置し、ガイドレール２２には前記弾性爪が嵌合可能な穴２２-aをほぼ等間隔に設けた。以上の構成は連結する壁掛け装置固定部７にも同様とした。以上により壁掛け装置可動部１の位置決め構造と上昇可能な下降防止構造を実現した。
【００５５】
更に、上昇ガイド２１を２本のガイドレール２２の中央に配置して、板幅中央に係止穴２１-aを同一形状でほぼ等間隔に配置した。
【００５６】
更に、上昇装置２３は先端のレバー係止部２４-aを前記係止穴２１-aに差し込む構造とし、そこを支点としてレバー２４の中央付近の受け部２５を薄型表示装置２の底部に当接させて上昇させる構造とした。つまりこれはテコの原理を応用していて、レバー係止部２４-aと係止穴２１-aの係止部分が支点、回転軸２６を介して受け部２５が作用点、レバー２４の取っ手２４-bが力点として構成されている。以上により、壁掛け装置可動部１と薄型表示装置２の上昇機構を実現した。
【００５７】
尚、上記構造は設置装置２０と連結する設置装置固定部７も同様にした。
【００５８】
以上説明した本発明の壁掛け装置を利用すれば、
１．壁掛け装置に対して薄型表示装置の位置決め作業の負担が軽減される。
２．同時に薄型表示装置や壁面への傷防止効果も有する。
３．所望の高さに薄型表示装置を持ち上げる労力が軽減される。
４．と、同時に薄型表示装置の落下防止効果も有する。
５．床面から壁面へ薄型表示装置を持ち上げる力は、該薄型表示装置の質量より小さい力で済む
６．壁掛け装置を壁面に固定する際、一人で片手で押さえながらのねじ止め作業が可能となる。
【００５９】
以上の効果が得られる。
【００６０】
尚、本発明では壁面に固定する対象物に薄型表示装置を例として上げたがそれに限定されることではなく、例えば壁面に設置する空調機器、家具、看板、その他造形物に応用可能である。
【図面の簡単な説明】
【００６１】
【図１】本発明の特徴を表す壁掛け装置可動部の鳥瞰図。
【図２】本発明の特徴を表す壁掛け装置固定部の鳥瞰図。
【図３】本発明の特徴を表す設置装置を水平に置いた状態の鳥瞰図。
【図４】本発明の設置装置の伸縮構造部周辺の断面を拡大した図。
【図５】本発明の壁掛け装置可動部の嵌合部が、壁掛け装置固定部および設置。装置のガイドレールに嵌合した状態を示す拡大図。
【図６】設置装置を利用した薄型表示装置の設置手順を示すフロー図。
【図７】第二の本発明の特徴を表す設置装置の平面図。
【図８】第二の本発明の特徴を表す設置装置の中央部立て断面の拡大図。
【図９】第二の本発明の特徴を表す設置装置のガイドレールの縦断面の拡大図。
【図１０】従来例の設置装置の縦断面。
【符号の説明】
【００６２】
１  壁掛け装置可動部
２  薄型表示装置
３  補強板
４  締結部
５  支持軸
６  嵌合部
７  壁掛け装置固定部
８  ガイドレール
９  レール結合板
１０  固定ねじ
１１  設置装置
１２  ガイドレール
１３  レール結合板
１４  壁掛け装置連結部
１５  連結部ねじ
１６  伸縮構造部
１７  伸縮脚
１８  伸縮先端部
２０  設置装置
２１  上昇ガイド
２２  ガイドレール
２３  上昇装置
２４  レバー
２５  受け部
２６  回転軸
２７  嵌合部
２８  弾性爪
【図１】
2008152186.tif 000003
【図２】
2008152186.tif 000004
【図３】
2008152186.tif 000005
【図４】
2008152186.tif 000006
【図５】
2008152186.tif 000007
【図６】
2008152186.tif 000008
【図７】
2008152186.tif 000009
【図８】
2008152186.tif 000010
【図９】
2008152186.tif 000011
【図１０】
2008152186.tif 000012